(57)【要約】【課題】アドレス設定スイッチにより各表示ユニット１０１にアドレスを設定することなく各表示ユニット１０１がアドレスに対応する映像データを読取る映像表示装置を提供すること。【解決手段】映像データ信号から映像データを読取って映像データに示される映像を表示する複数の表示ユニット１０１と、映像データ信号から映像データを読取る位置が示される位置情報を表示ユニット１０１に出力し、表示ユニット１０１が映像を表示するよう制御する表示制御部１２０とを備え、複数の表示ユニット１０１は、位置情報を順に入出力するよう順序付けて接続され、各表示ユニット１０１は、入力した位置情報が示す位置で映像データ信号から映像データを読取り、入力した位置情報を予め設定された規則に従って処理し、処理した位置情報を出力する。【選択図】          図１
2004205825.tif 000002
【特許請求の範囲】
【請求項１】
映像データ信号から映像データを読取る位置が示される位置情報を読取り、読取った前記位置情報が示す位置で映像データ信号から映像データを読取り、読取った前記映像データが示す映像を表示する複数の表示ユニットと、前記映像データ信号から前記位置情報を前記表示ユニットに読取らせるタイミングが示された読取りタイミング情報を出力し、前記表示ユニットが前記映像を表示するよう制御する表示制御部とを備え、
前記複数の表示ユニットが、前記位置情報を順に入出力するよう順序付けて接続され、
前記各表示ユニットは、入力した前記タイミング情報が示すタイミングで前記映像データ信号から前記映像データを読取り、前記タイミング情報を予め設定された規則に従って処理し、処理した前記タイミング情報を出力することを特徴とする映像表示装置。
【請求項２】
前記各表示ユニットが読取った前記位置情報は、前記各表示ユニットが映像を点灯する点灯タイミングが示された点灯タイミング情報を含み、前記各表示ユニットは、前記映像データが示す前記映像を前記点灯タイミングで表示することを特徴とする請求項１に記載の映像表示装置。
【請求項３】
１つの画面を形成した複数の表示ユニットを有し、前記１つの画面に映像を表示する映像表示部と、前記複数の表示ユニットを点灯する点灯タイミングと関連付けて示された複数のアドレス情報とこれら複数のアドレス情報に対応する複数の映像データとを映像データ信号として前記複数の表示ユニットに伝送し、前記複数の映像データに示される前記映像を前記１つの画面に表示するよう制御する表示制御部とを備え、
前記表示制御部は、前記映像データ信号が前記複数の表示ユニットに伝送される順序を示す配線順情報に基づいて前記複数のアドレス情報が伝送される順序を決定する伝送順決定手段と、前記伝送順決定手段により決定された順序で並べられた前記複数のアドレス情報を含む映像データ信号を生成する映像データ信号生成手段と、前記映像データ信号から前記アドレス情報を前記各表示ユニットに読取らせる読取りタイミングが示されるイネーブル信号を生成するイネーブル信号生成手段とを有し、
前記各表示ユニットは、前記イネーブル信号により示される前記読取りタイミングで前記アドレス情報を読取るよう前記映像データ信号から前記アドレス情報を検出するアドレス情報検出手段と、前記アドレス情報検出手段により検出された前記アドレス情報に対応する映像データを前記映像データ信号から検出する映像データ検出手段と、前記映像データ検出手段により検出された前記映像データに示される映像を表示する映像表示手段と、前記アドレス情報検出手段により検出された前記アドレス情報が示す前記点灯タイミングに基づいて前記映像を表示するよう前記映像表示手段を制御する制御手段と、前記イネーブル信号により示される前記読取りタイミングに予め設定された遅延時間の遅延を与える信号遅延手段とを有し、
前記各アドレス情報検出手段は、前記各信号遅延手段により遅延された前記読取りタイミングで前記映像データ信号から前記アドレス情報を読取ることを特徴とする映像表示装置。
【請求項４】
前記映像データ信号は、時間軸に沿って複数に分割された複数のフィールドを含み、前記映像データ信号生成手段は、フィールド毎に前記表示ユニットを点灯する点灯タイミングと関連付けて示された前記アドレス情報とこのアドレス情報に対応する前記映像データとが含まれる映像データ信号を生成し、
前記各アドレス情報検出手段は、フィールド毎に前記アドレス情報を検出し、
前記各制御手段は、フィールド毎に前記アドレス情報検出手段により検出される前記アドレス情報が示す前記点灯タイミングに基づいて前記１つの画面に前記映像が表示されるよう前記映像表示手段を制御することを特徴とする請求項３に記載の映像表示装置。
【発明の詳細な説明】
【０００１】
【発明の属する技術分野】
本発明は、大型スタジアム、多目的ホール、ビル外壁などに設置される映像表示装置に関する。
【０００２】
【従来の技術】
従来、この種の映像表示装置として、図１１に示すものが知られている。この従来の映像表示装置１は、操作パネル２を有する１つの入力装置３に接続されており、三原色の発光素子からなる画素を集積配置した表示ユニット４と、この表示ユニット４を複数個マトリクス状に組み合わせてなる映像表示部５と、この映像表示部５に電源を供給する分電盤６と、マトリクス状に配置された複数の表示ユニット４に映像データ信号を分配する表示データ分配器７と、表示データ分配器７を介して映像表示部５を制御する映像制御部８とを備えている。（例えば特許文献１参照）
【０００３】
また、映像制御部８は、読取り専用メモリ（以下、単にＲＯＭという。）９、中央処理装置（以下、単にＣＰＵという。）１０および表示盤制御メモリ１１を備えている。ＲＯＭ９は、映像表示装置１に関する制御パラメータとなる各種構成情報および設定情報を記憶している。ＣＰＵ１０は、入力装置３からＣＰＵ１０に命令が入力されることにより、入力された命令に対応する制御パラメータをＲＯＭ９から読み出し、読み出された制御パラメータに基づくデータを制御データとして表示盤制御メモリ１１に書き込むようになっている。
【０００４】
さらに、各表示ユニット４は、組み込まれたアドレス設定スイッチにより予めアドレスが設定されており、設定されたアドレスに対応する映像データを読取るするようになっている。一方、映像制御部８は、各表示ユニット４に映像データを読取らせるよう各表示ユニット４に予め設定されたアドレス情報に対応して示された映像データを映像データ信号として伝送するようになっている。
【０００５】
【特許文献１】
特開２００１‐２９０４７１号公報（第５頁、第１図）
【０００６】
【発明が解決しようとする課題】
しかしながら、従来の映像表示装置では、表示ユニットにアドレスに対応する映像データを読取らせるようアドレス設定スイッチによって表示ユニット毎にアドレスを設定するアドレス設定作業が必要であり、そのアドレス設定作業が面倒になりがちであるという問題があった。
【０００７】
本発明は、従来の問題を解決するためになされたもので、表示ユニット毎にアドレス設定スイッチにってアドレスを設定する面倒なアドレス設定作業が必要なく各表示ユニットに映像データを読取らせる映像表示装置を提供するものである。
【０００８】
【課題を解決するための手段】
本発明の映像表示装置は、映像データ信号から映像データを読取る位置が示される位置情報を読取り、読取った前記位置情報が示す位置で映像データ信号から映像データを読取り、読取った前記映像データが示す映像を表示する複数の表示ユニットと、前記映像データ信号から前記位置情報を前記表示ユニットに読取らせるタイミングが示された読取りタイミング情報を出力し、前記表示ユニットが前記映像を表示するよう制御する表示制御部とを備え、前記複数の表示ユニットは、前記位置情報を順に入出力するよう順序付けて接続され、前記各表示ユニットは、入力した前記タイミング情報が示すタイミングで前記映像データ信号から前記映像データを読取り、前記タイミング情報を予め設定された規則に従って処理し、処理した前記タイミング情報を出力する構成を有している。
【０００９】
この構成により、表示ユニットが予め設定された規則に従って処理した位置情報を次の表示ユニットが読取ることにより、各表示ユニットに予めアドレスを設定することなく、読取った位置情報が示す位置で映像データ信号から映像データを読取ることができる。
【００１０】
本発明の映像表示装置は、前記位置情報が前記表示ユニットを点灯する点灯タイミングと関連付けて示された位置情報を含み、前記各表示ユニットは、入力した前記位置情報が示す点灯タイミングで点灯し、前記映像を表示する構成を有している。
【００１１】
この構成により、各表示ユニットが予め設定された規則に従って処理した位置情報を次の表示ユニットが読取ることにより、各表示ユニットに予めアドレスを設定することなく、読取った位置情報が示す位置で画像データ信号から映像データを読取って、位置情報が示す点灯タイミングで点灯することができる。
【００１２】
本発明の映像表示装置は、１つの画面を形成した複数の表示ユニットを有し、前記１つの画面に映像を表示する映像表示部と、前記複数の表示ユニットを点灯する点灯タイミングと関連付けて示された複数のアドレス情報とこれら複数のアドレス情報に対応する複数の映像データとを映像データ信号として前記複数の表示ユニットに伝送し、前記複数の映像データに示される前記映像を前記１つの画面に表示するよう制御する表示制御部とを備え、前記表示制御部は、前記映像データ信号が前記複数の表示ユニットに伝送される順序を示す配線順情報に基づいて前記複数のアドレス情報が伝送される順序を決定する伝送順決定手段と、前記伝送順決定手段により決定された順序で並べられた前記複数のアドレス情報を含む映像データ信号を生成する映像データ信号生成手段と、前記映像データ信号から前記アドレス情報を前記各表示ユニットに読取らせる読取りタイミングが示されるイネーブル信号を生成するイネーブル信号生成手段とを有し、前記各表示ユニットは、前記イネーブル信号により示される前記読取りタイミングで前記アドレス情報を読取るよう前記映像データ信号から前記アドレス情報を検出するアドレス情報検出手段と、前記アドレス情報検出手段により検出された前記アドレス情報に対応する映像データを前記映像データ信号から検出する映像データ検出手段と、前記映像データ検出手段により検出された前記映像データに示される映像を表示する映像表示手段と、前記アドレス情報検出手段により検出された前記アドレス情報が示す前記点灯タイミングに基づいて前記映像を表示するよう制御する制御手段と、前記イネーブル信号により示される前記読取りタイミングに予め設定された遅延時間の遅延を与える信号遅延手段とを有し、前記各アドレス情報検出手段は、前記各信号遅延手段により遅延された前記読取りタイミングで前記映像データ信号から前記アドレス情報を読取る構成を有している。
【００１３】
この構成により、予め設定された規則として表示ユニットがイネーブル信号に示される読取りタイミングに遅延を与えることにより、各表示ユニットに予めアドレスを設定することなく、イネーブル信号に示された読取りタイミングで映像データ信号からアドレス情報を読取り、読取ったアドレス情報が示す位置で画像データ信号から映像データを読取って、アドレス情報が示す点灯タイミングで点灯することができる。
【００１４】
本発明の映像表示装置は、前記映像データ信号は、時間軸に沿って複数に分割された複数のフィールドを含み、前記映像データ信号生成手段は、フィールド毎に前記複数の表示ユニットを点灯する点灯タイミングと関連付けて示された前記複数のアドレス情報とこれら複数のアドレス情報に対応する前記複数の映像データとが含まれる映像データ信号を生成し、前記各アドレス情報検出手段は、フィールド毎に前記アドレス情報を検出し、前記各制御手段は、フィールド毎に前記アドレス情報検出手段により検出される前記アドレス情報が示す前記点灯タイミングに基づいて前記１つの画面に前記映像が表示されるよう前記映像表示手段を制御する構成を有している。
【００１５】
この構成により、予め設定された規則として表示ユニットがイネーブル信号に示される読取りタイミングに遅延を与えることにより、予めアドレスを設定することなく、フィールド毎にイネーブル信号に示された読取りタイミングで映像データ信号からアドレス情報を読取り、読取ったアドレス情報が示す位置で画像データ信号から映像データを読って、アドレス情報が示す点灯タイミングで点灯することができる。
【００１６】
【発明の実施の形態】
以下、本発明の実施の形態について、図面を参照して説明する。
【００１７】
図１に示すように、映像表示装置１００は、映像データ信号から映像データを読取って映像データに示される映像を表示する複数の表示ユニット１０１と、映像データ信号から映像データを読取る位置が示される位置情報を表示ユニット１０１に出力し、表示ユニット１０１が映像を表示するよう制御する表示制御部１２０とを備え、複数の表示ユニット１０１は、位置情報を順に入出力するよう順序付けて接続され、各表示ユニット１０１は、入力した位置情報が示す位置で映像データ信号から映像データを読取り、入力した位置情報を予め設定された規則に従って処理し、処理した位置情報を出力するようになっている。また、位置情報が表示ユニット１０１を点灯する点灯タイミングと関連付けて示された位置情報を含み、各表示ユニット１０１は、入力した位置情報が示す点灯タイミングで点灯し、映像を表示するようになっている。また、複数の表示ユニット１０１は、１つの画面を形成し、映像表示部１１０を構成している。
【００１８】
本実施の形態では、各表示ユニット１０１がイネーブル信号により示された読取りタイミングでアドレス情報を読取り、読取ったアドレス情報により示される映像データ信号上の位置で映像データを読取るようになっている。また、予め設定された規則で処理するとは、本実施の形態では、イネーブル信号により示された読取りタイミングに予め設定された遅延時間の遅延を与えることをいう。また、映像データ信号上には、複数の表示ユニット１０１が接続された順序でアドレス情報が並べられており、表示ユニット１０１毎にアドレス情報を検出する位置が１つだけ遅れて、各表示ユニット１０１が各アドレス情報を読取るよう遅延時間が設定される。
【００１９】
図２に示すように、表示制御部１２０は、１つの画面を形成した複数の表示ユニット１０１に伝送される複数の映像データが生成されるよう映像信号を処理する映像信号処理手段１２１と、複数の表示ユニット１０１に対応する複数のアドレス情報を生成するアドレス情報生成手段１２４と、映像データ信号が複数の表示ユニット１０１に伝送される順序を示す配線順情報に基づいて複数のアドレス情報が伝送される順序を決定する伝送順決定手段１２５と、伝送順決定手段１２５により決定された順序で並べられた複数のアドレス情報を含む映像データ信号を生成する映像データ信号生成手段１２２と、映像データ信号からアドレス情報を各表示ユニット１０１に読取らせる読取りタイミングが示されるイネーブル信号を生成するイネーブル信号生成手段１２６とを有し、生成された映像データ信号とイネーブル信号とを複数の表示ユニット１０１に伝送するようになっている。
【００２０】
図３に示すように、各表示ユニット１０１は、イネーブル信号に示される読取りタイミングに基づいて映像データ信号からアドレス情報を検出するアドレス情報検出手段１０３と、イネーブル信号に示される読取りタイミングに予め設定された遅延時間の遅延を与える信号遅延手段１０２と、アドレス情報検出手段１０３により検出されたアドレス情報を格納するアドレス情報格納手段１０４と、アドレス情報検出手段１０３により検出されたアドレス情報に対応する映像データを映像データ信号から検出する映像データ検出手段１０６と、映像データ検出手段１０６により検出された映像データを格納する映像データ格納手段１０７と、映像データ検出手段１０６により検出された映像データに示される映像を表示する映像表示手段１０８と、アドレス情報検出手段１０３により検出されたアドレス情報と関連付けて示された点灯タイミングに基づいて映像が表示されるよう映像表示手段１０８を制御する制御手段１０５とを有している。
【００２１】
また、各アドレス情報検出手段１０３が、映像データ信号に含まれる複数のアドレス情報から各表示ユニット１０１に対応する１つのアドレス情報を検出するよう信号遅延手段１０２の遅延時間が予め設定されている。
【００２２】
映像データ信号は、時間軸に沿って複数に分割された複数のフィールドを含み、映像データ信号生成手段１２２は、フィールド毎に複数の表示ユニット１０１を点灯する点灯タイミングに関連付けて示された複数のアドレス情報とこれら複数のアドレス情報に対応する複数の映像データとが含まれる映像データ信号を生成するようになっている。また、各アドレス情報検出手段１０３は、フィールド毎に表示ユニット１０１を点灯する点灯タイミングに関連付けて示されたアドレス情報を検出するようになっている。さらに、各制御手段１０５は、アドレス情報検出手段１０３により検出されるアドレス情報と関連付けて示された点灯タイミングに基づいて１つの画面に映像が表示されるようフィールド毎に映像表示手段１０８を制御するようになっている。
【００２３】
次に、図４および図５のフローチャートを参照し、本発明の実施の形態の映像表示装置の動作について説明する。
【００２４】
図４に示すように、表示制御部１１０では、まず、複数の表示ユニット１０１に対応する複数のアドレス情報が、アドレス情報生成手段１２４により生成される（ステップＳ１０１）。次いで、映像データ信号が複数の表示ユニット１０１に伝送される順序を示す配線順情報に基づいて複数のアドレス情報を並べる順序が、伝送順決定手段１２５により決定される（ステップＳ１０２）。次に、複数の表示ユニット１０１に伝送される複数の映像データが、映像信号処理手段１２１により映像信号から生成される（ステップＳ１０３）。そして、伝送順決定手段１２５により決定された順序で並べられた複数のアドレス情報とこれら複数のアドレス情報に対応する複数の映像データとを含む映像データ信号が、映像データ信号生成手段１２２により生成される（ステップＳ１０４）。次いで、映像データ信号からアドレス情報をアドレス情報検出手段１０３に検出させる読取りタイミングが示されるイネーブル信号が、イネーブル信号生成手段１２６により生成される（ステップＳ１０５）。
【００２５】
以上説明したように、本実施の形態の映像表示装置１００は、フィールド毎に複数のアドレス情報とこれら複数のアドレスに対応する複数の映像データとを含む映像データ信号と複数の表示ユニット１０１に映像データ信号から複数のアドレス情報を検出させるイネーブル信号とを生成し、表示制御部１１０から各表示ユニット１０１に伝送することができる。
【００２６】
図５に示すように、各表示ユニット１０１では、まず、表示ユニット１０１に対応するアドレス情報が、映像データ信号からイネーブル信号に示される読取りタイミングに基づいてアドレス情報検出手段１０３により検出される（ステップＳ１０６）。次に、アドレス情報検出手段１０３により検出されたアドレス情報が、アドレス情報格納手段１０４に格納される（ステップＳ１０７）。そして、アドレス情報格納手段１０４に格納されたアドレス情報に対応する映像データが、映像データ検出手段１０６により映像データ信号から検出される（ステップＳ１０８）。次いで、映像データ検出手段１０６により検出された映像データ信号が、映像データ格納手段１０７に格納される（ステップＳ１０９）。次に、アドレス情報と関連付けて示された複数の表示ユニット１０１を点灯する点灯タイミングに基づいて映像データ格納手段１０７に格納された映像データに示された映像が表示されるよう映像表示手段１０８が制御手段１０５により制御される（ステップＳ１１０）。
【００２７】
以上説明したように、本実施の形態の映像表示装置１００は、フィールド毎に表示ユニット１０１に対応するアドレス情報が含まれる映像データ信号からイネーブル信号により示された読取りタイミングに基づいて各表示ユニット１０１にアドレス情報を検出させることができる。したがって、アドレス情報に示されたアドレスを各表示ユニット１０１に設定するようアドレス情報格納手段１０４に格納することができる。
【００２８】
また、本実施の形態の映像表示装置１００は、フィールド毎にアドレス情報検出手段１０３により検出されたアドレス情報に対応する映像データを映像データ信号から検出することができる。
【００２９】
さらに、本実施の形態の映像表示装置１００は、アドレス情報検出手段１０３により検出されたアドレス情報が各表示ユニット１０１を点灯する点灯タイミングに関連付けられているので、アドレス情報に示された表示ユニット１０１を点灯する点灯タイミングで映像を表示することができる。
【００３０】
次に、図６および図７のタイミングチャートを参照し、映像データ信号およびイネーブル信号について説明する。
【００３１】
図６に示すように、映像データ信号は、１フィールド毎に複数の表示ユニット１０１に対応する複数のアドレス情報が伝送される部分と複数のアドレス情報に対応する複数の映像データが伝送される部分とが含まれている。
【００３２】
複数のアドレス情報が伝送される部分では、複数の表示ユニット１０１に対応するアドレス００からアドレスｎまでの複数のアドレス情報が含まれている。これらアドレス００からアドレスｎまでの複数のアドレス情報がイネーブル信号により示される読取りタイミングで複数の表示ユニット１０１に読取られる。
【００３３】
また、イネーブル信号は、アドレス００からアドレスｎまでの複数のアドレス情報を複数の表示ユニット１０１の複数のアドレス情報検出手段１０３に読取らせるよう映像データ信号と共に複数の表示ユニット１０１に伝送される過程で、各表示ユニット１０１の信号遅延手段１０２により遅延を受ける。
【００３４】
図７に示すように、複数のアドレス情報に対応する複数の映像データが伝送される部分は、複数の表示ユニット１０１に対応する複数のアドレス情報が伝送される部分の後に続き、複数のアドレス情報に対応する複数の映像データが伝送される部分から複数の表示ユニット１０１の複数の映像データ検出手段１０６により複数のアドレスに対応する複数の映像データがそれぞれ読取られる。
【００３５】
次に、図８および図９のタイミングチャートを参照し、表示ユニット１０１の点灯タイミングについて説明する。
【００３６】
図８に示すように、映像データ信号が複数の表示ユニット１０１に伝送される順序は、例えば、複数の表示ユニット１０１に示された番号１→２→３の順序とする。また、複数の表示ユニット１０１で形成された１つの画面において画面横列方向は、同じ点灯タイミングで点灯するよう点灯タイミングとアドレス情報が関連付けられ、画面縦列方向は、画面縦列方向に並んだ順序で順次点灯するよう点灯タイミングとアドレス情報が関連付けられているとする。
【００３７】
まず、第ｎフィールドにおいて、第１表示ユニット１０１のアドレス１、第２表示ユニット１０１のアドレス２および第３表示ユニット１０１のアドレス３が各表示ユニット１０１のアドレス情報検出手段１０３によりそれぞれ検出され、アドレス情報が各表示ユニット１０１のアドレス情報格納手段１０４にそれぞれ格納される。そして、第ｎ+１フィールドにおいて、第１表示ユニット１０１は第１表示ユニット１０１のアドレス１に示された点灯タイミング、第２表示ユニット１０１は第２表示ユニット１０１のアドレス２に示された点灯タイミング、および第３表示ユニット１０１は第３表示ユニット１０１のアドレス３に示された点灯タイミングで点灯する。
【００３８】
ここで、点灯タイミングとアドレス情報とは、画面に映像が表示されたときに視認性の良い自然な映像が表示されるよう関連付けられるものであり、本発明の映像表示装置１００の複数の表示ユニット１０１の点灯タイミングを、画面横列方向の点灯タイミングが同時で、画面縦列方向の点灯タイミングが並んだ順序で順次点灯することに限定するものではない。例えば、放送受信機のラスタースキャンのように複数の表示ユニット１０１が並べられた順序で順次点灯するよう点灯タイミングとアドレス情報とを関連付けてもよい。
【００３９】
以上説明したように、従来の映像表示装置では、映像データを受信すると同時に各表示ユニットが点灯するようになっていたので、映像データ信号が伝送される順序によっては映像の表示が不自然に感じられたのに比べ、本発明の映像表示装置１００では、テレビ放送受信機のラスタースキャンに近い点灯タイミングで表示ユニット１０１が点灯するよう関連付けて示されたアドレス情報を受信し、アドレス情報に関連付けて示された点灯タイミングで表示ユニット１０１を点灯することができるので視認性の良い映像を表示することができる。
【００４０】
図９に示すように、映像データ信号が複数の表示ユニット１０１に伝送される順序が、複数の表示ユニット１０１に示された番号１→１１→２１の順序になっている。第ｎフィールドにおいて、第１表示ユニット１０１のアドレス１、第２表示ユニット１０１のアドレス２および第３表示ユニット１０１のアドレス３がアドレス情報検出手段１０３によりそれぞれ検出されることにより、第ｎ+１フィールドにおいて、第１表示ユニット１０１、第２表示ユニット１０１および第３表示ユニット１０１は、水平方向に並んだ同じ表示ユニット１０１として複数のアドレス情報に関連付けて示された同じ点灯タイミングで点灯することができる。
【００４１】
次に、図１０のタイミングチャートを参照して、映像データ信号が複数の表示ユニット１０１に伝送される順序が変更になったときの映像データ信号について説明する。
【００４２】
映像データ信号が複数の表示ユニット１０１に伝送される順序が、
2004205825.tif 000003
から
2004205825.tif 000004
に変更されたときには、複数のアドレス情報が伝送される部分を以下説明するように変更し、複数の表示ユニット１０１にそれぞれ対応する複数のアドレス情報をイネーブル信号に示される読取りタイミングで読取らせることができる。
【００４３】
2004205825.tif 000005
という順序で並べられたアドレス情報を、
2004205825.tif 000006
という順序に変更する。この変更により、複数のアドレス情報が伝送された後に続く複数の映像データの順序を変更することなく伝送することができる。
【００４４】
以上説明したように、本発明の映像表示装置は、表示ユニットを点灯する点灯タイミングに関連付けて示されたアドレス情報を各表示ユニットに映像データ信号から読取らせることができ、アドレス設定スイッチにより各表示ユニットにアドレスを設定することなく各表示ユニットがアドレスに対応する映像データを受信することができる。
【００４５】
このように、各表示ユニットに予めアドレスを設定することなく映像データ信号から各表示ユニットにアドレス情報を読取らせるようになっているので、表示ユニットを点灯する点灯タイミングに関連付けて示されたアドレス情報に基づいて複数の表示ユニットから形成された１つの画面に映像が表示されるよう複数の表示ユニットの点灯タイミングを制御することができる。
【００４６】
【発明の効果】
以上説明したように、本発明の映像表示装置は、映像データ信号から各表示ユニットにアドレス情報を読取らせるようになっているので、従来の映像表示装置のように表示ユニット毎にアドレス設定スイッチにってアドレスを設定するアドレス設定作業が必要なく、各表示ユニットに映像データを読取らせることができる映像表示装置を提供することができる。
【図面の簡単な説明】
【図１】本発明の実施の形態の映像表示装置の概略構成を示すブロック図
【図２】本発明の実施の形態の映像表示装置の表示制御部の構成を示すブロック図
【図３】本発明の実施の形態の映像表示装置の表示ユニットの構成を示すブロック図
【図４】本発明の実施の形態の映像表示装置の動作を示すフローチャート
【図５】本発明の実施の形態の映像表示装置の動作を示すフローチャート
【図６】本発明の実施の形態の映像表示装置の映像データ信号とイネーブル信号のタイミングチャート
【図７】本発明の実施の形態の映像表示装置の映像データ信号のタイミングチャート
【図８】本発明の実施の形態の映像表示装置の表示ユニットの点灯タイミングを示すタイミングチャート
【図９】本発明の実施の形態の映像表示装置の表示ユニットの点灯タイミングを示すタイミングチャート
【図１０】本発明の実施の形態の映像表示装置の表示ユニットの点灯タイミングを示すタイミングチャート
【図１１】従来の映像表示装置の概略構成を示すのブロック図
【符号の説明】
１００  映像表示装置
１０１  表示ユニット
１０２  信号遅延手段
１０３  アドレス情報検出手段
１０４  アドレス情報格納手段
１０５  制御手段
１０６  映像データ検出手段
１０７  映像データ格納手段
１０８  映像表示手段
１１０  映像表示部
１２０  表示制御部
１２１  映像信号処理手段
１２２  映像データ信号生成手段
１２４  アドレス情報生成手段
１２５  伝送順決定手段
１２６  イネーブル信号生成手段
【図１】
2004205825.tif 000007
【図２】
2004205825.tif 000008
【図３】
2004205825.tif 000009
【図４】
2004205825.tif 000010
【図５】
2004205825.tif 000011
【図６】
2004205825.tif 000012
【図７】
2004205825.tif 000013
【図８】
2004205825.tif 000014
【図９】
2004205825.tif 000015
【図１０】
2004205825.tif 000016
【図１１】
2004205825.tif 000017